(57)【特許請求の範囲】
【請求項１】
空調空間を有する空調室に対する空調運転開始時に、前記空調室への空気の給気量と該空調室からの空気の排気量との少なくとも一方を調節して該空調室の室内気圧を制御する空調運転開始時の室圧制御方法において、
前記室圧制御方法では、前記空調室に燻蒸・除染用薬品を充満させて該空調室を燻蒸・除染した後に前記空調運転を開始し、前記室圧制御方法が、前記空調運転開始時に、前記給気量と前記排気量とのうちの少なくとも一方を調節して前記空調室の室内気圧を予め設定された微陽圧に保持する微陽圧保持手段を実行し、前記微陽圧保持手段を実行してから該微陽圧保持手段の実行時間が経過した後、該微陽圧保持手段を終了するとともに前記給気量と前記排気量とのうちの少なくとも一方を調節して前記空調室の室内気圧を該微陽圧保持手段におけるそれよりも高い予め設定された陽圧に保持する陽圧保持手段を実行し、
前記微陽圧保持手段の実行時間が、前記空調室に残留する前記燻蒸・除染用薬品の濃度が下がるまでの時間であり、前記実行時間が、
0005892766.tif 000004
ｔ：実行時間（ｍｉｎ）
Ｙ：残留ガス濃度（個／ｃｆｔ）
ａ：初期残留ガス濃度（個／ｃｆｔ）
ｂ：換気回数（回／ｈ）
α：拡散係数（≦１．０，完全拡散の場合は１．０）
の式によって算出されることを特徴とする空調運転開始時の室圧制御方法。
【請求項２】
前記空調室が、複数存在し、前記室圧制御方法では、前記式によって前記微陽圧保持手段の実行時間がそれら空調室毎に算出され、それら空調室のうちの一方の空調室の前記実行時間が経過した場合、その一方の空調室に対して前記微陽圧保持手段を終了しつつ前記陽圧保持手段を実行し、他方の空調室の前記実行時間が未経過の場合、その他方の空調室に対して引き続き前記微陽圧保持手段を実行する請求項１に記載の室圧制御方法。
【請求項３】
前記微陽圧保持手段と前記陽圧保持手段とが、前記空調室に空気を給気する給気ファンと、前記空調室から空気を排気する排気ファンと、ダンパ開度によって前記空調室への空気の給気量と該空調室からの空気の排気量とのいずれかを調節可能なモーターダンパとを利用して実行される請求項１または請求項２に記載の室圧制御方法。
【請求項４】
前記微陽圧保持手段では、前記実行時間が経過するまでの間に、前記空調室の室内気圧が予め設定された微陽圧から外れると、前記モーターダンパのダンパ開度を調節して前記室内気圧を設定された微陽圧に戻す請求項３に記載の室圧制御方法。
【請求項５】
前記室圧制御方法では、前記給気ファンの起動信号、前記排気ファンの起動信号、前記モーターダンパの起動信号、前記モーターダンパに内蔵された差圧センサによって計測された差圧信号のうちの少なくとも１つをトリガーとして前記微陽圧保持手段を実行する請求項３または請求項４に記載の室圧制御方法。
【請求項６】
空調空間を有する空調室に対する空調運転開始時に、前記空調室への空気の給気量と該空調室からの空気の排気量との少なくとも一方を調節して該空調室の室内気圧を制御する空調運転開始時の室圧制御方法において、
前記室圧制御方法が、前記空調室の燻蒸・除染用薬品の濃度を測定する濃度センサを含み、前記空調室に燻蒸・除染用薬品を充満させて該空調室を燻蒸・除染した後、前記濃度センサが測定した前記空調室の燻蒸・除染用薬品の濃度信号をトリガーとして前記空調運転を開始し、
前記室圧制御方法では、前記空調運転開始時に、前記給気量と前記排気量とのうちの少なくとも一方を調節して前記空調室の室内気圧を予め設定された微陽圧に保持する微陽圧保持手段を実行し、前記濃度センサによって測定された前記空調室の燻蒸・除染用薬品の濃度が設定値よりも下がった後、該微陽圧保持手段を終了するとともに前記給気量と前記排気量とのうちの少なくとも一方を調節して前記空調室の室内気圧を該微陽圧保持手段におけるそれよりも高い予め設定された陽圧に保持する陽圧保持手段を実行することを特徴とする室圧制御方法。
【請求項７】
前記空調室が、複数存在し、前記室圧制御方法では、前記濃度センサが燻蒸・除染用薬品の濃度をそれら空調室毎に測定し、前記濃度センサによって測定された一方の空調室の燻蒸・除染用薬品の濃度が設定値よりも下がった場合、その一方の空調室に対して前記微陽圧保持手段を終了しつつ前記陽圧保持手段を実行し、前記濃度センサによって測定された他方の空調室の燻蒸・除染用薬品の濃度が設定値を超過する場合、その他方の空調室に対して引き続き前記微陽圧保持手段を実行する請求項６に記載の室圧制御方法。
【請求項８】
前記微陽圧保持手段と前記陽圧保持手段とが、前記空調室に空気を給気する給気装置と、前記空調室から空気を排気する排気装置と、ダンパ開度によって前記空調室への空気の給気量と該空調室からの空気の排気量とのいずれかを調節可能なモーターダンパとを利用して実行される請求項７に記載の室圧制御方法。
【請求項９】
前記微陽圧保持手段では、前記空調室に残留する前記燻蒸・除染用薬品の濃度が設定値を超えている間に、前記空調室の室内気圧が予め設定された微陽圧から外れると、前記モーターダンパのダンパ開度を調節して前記室内気圧を設定された微陽圧に戻す請求項８に記載の室圧制御方法。
【請求項１０】
前記微陽圧保持手段によって保持される前記空調室の予め設定された室内気圧が、＋３〜＋１０Ｐａの範囲にあり、前記陽圧保持手段によって保持される前記空調室の予め設定された室内気圧が、＋１０〜＋６０Ｐａの範囲にある請求項１ないし請求項９いずれかに記載の室圧制御方法。
【発明の詳細な説明】
【技術分野】
【０００１】
本発明は、空調空間を有する空調室に対する空調運転開始時に、空調室への空気の給気量と空調室からの空気の排気量との少なくとも一方を調節して空調室の室内気圧を制御する空調運転開始時の室圧制御方法に関する。
【背景技術】
【０００２】
複数空調室に対する給気量を目標給気量に調整する給気量制御手段と、それら空調室からの排気量を調整して各空調室の室圧を目標室圧に調整する室圧制御手段とを設ける構成において、給排気運転の起動時に各空調室の目標給気量を０とするとともに、給排気運転の起動後に目標室圧の高い空調室から順に目標給気量を設定必要給気量へ増大させる起動時給気量変更手段を設けた室圧制御装置がある（特許文献１参照）。
【０００３】
特許文献１に開示の室圧制御装置は、給排気運転の起動時に各空調室の目標給気量を０とし、各空調室への給気開始を牽制することにより、給気の開始による室圧の立ち上がり開始そのものがない状態を各空調室について一律に現出させる。次に、目標室圧の最も高い空調室の目標給気量を設定必要給気量に向けて増大させることで、他の空調室については目標給気量が０で給気開始による室圧の立ち上がり開始そのものがない状態で、目標室圧の最も高い空調室についてのみ給気開始による室圧の立ち上がりを生じさせる。このように、目標室圧の高い空調室から順に目標給気量を設定必要給気量へと増大させることにより、給気開始による室圧の立ち上がり開始そのものを目標室圧の高い空調室から順に生じさせることができる。
【特許文献１】特開平６−２８１２１７号公報
【発明の開示】
【発明が解決しようとする課題】
【０００４】
前記特許文献１に開示の室圧制御装置は、給排気運転の起動時に各空調室の目標給気量を０としつつ、給排気運転を起動するから、空調室の室内気圧が外乱（ドアの開閉、窓の開閉、局所給気装置の起動・停止、局所排気装置の起動・停止等）によって変動したときに、空調室の室内気圧が一時的に負圧になる場合があり、空調室の外部から空気が進入し、空調室が汚染されてしまう場合がある。
【０００５】
また、空調運転開始時（給排気運転起動時）に空調室の室内気圧を一気に陽圧に上昇させるため、空調運転開始時に１５〜４０Ｐａの設定陽圧で運転すると、空調運転開始時に通常の陽圧運転を実行した場合の室内気圧の変動の一例である図７に示すように、空調室の室内気圧が一時的に急上昇し、設定された目標室内気圧を超え、空調室の建具の目地から空気が漏出し、空調運転を開始した空調室から通路や隣室に空気が漏れてしまう場合がある。
【０００６】
本発明の目的は、空調室に対する空調運転開始時に空調室の室内気圧が負圧になることがなく、空調室の汚染を防ぐことができる空調運転開始時の室圧制御方法を提供することにある。さらに、空調運転を開始した空調室から通路や隣室への空気の漏出を防ぐことができる空調運転開始時の室圧制御方法を提供することにある。
【課題を解決するための手段】
【０００７】
前記課題を解決するための本発明の前提は、空調空間を有する空調室に対する空調運転開始時に、空調室への空気の給気量と空調室からの空気の排気量との少なくとも一方を調節して空調室の室内気圧を制御する空調運転開始時の室圧制御方法である。
【０００８】
前記前提における本発明の室圧制御方法の第１の特徴として、室圧制御方法では、空調室に燻蒸・除染用薬品を充満させて空調室を燻蒸・除染した後に空調運転を開始し、室圧制御方法が、空調運転開始時に、給気量と排気量とのうちの少なくとも一方を調節して空調室の室内気圧を予め設定された微陽圧に保持する微陽圧保持手段を実行し、微陽圧保持手段を実行してから微陽圧保持手段の実行時間が経過した後、微陽圧保持手段を終了するとともに給気量と排気量とのうちの少なくとも一方を調節して空調室の室内気圧を微陽圧保持手段におけるそれよりも高い予め設定された陽圧に保持する陽圧保持手段を実行し、微陽圧保持手段の実行時間が、空調室に残留する燻蒸・除染用薬品の濃度が下がるまでの時間であり、実行時間が、
0005892766.tif 000002
ｔ：実行時間（ｍｉｎ）
Ｙ：残留ガス濃度（個／ｃｆｔ）
ａ：初期残留ガス濃度（個／ｃｆｔ）
ｂ：換気回数（回／ｈ）
α：拡散係数（≦１．０，完全拡散の場合は１．０）
の式によって算出されることにある。
【０００９】
前記第１の特徴を有する室圧制御方法の一例としては、空調室が複数存在し、室圧制御方法では、前記式によって微陽圧保持手段の実行時間がそれら空調室毎に算出され、それら空調室のうちの一方の空調室の実行時間が経過した場合、その一方の空調室に対して微陽圧保持手段を終了しつつ陽圧保持手段を実行し、他方の空調室の実行時間が未経過の場合、その他方の空調室に対して引き続き微陽圧保持手段を実行する。
【００１０】
前記第１の特徴を有する室圧制御方法の他の一例としては、微陽圧保持手段と前記陽圧保持手段とが、空調室に空気を給気する給気ファンと、空調室から空気を排気する排気ファンと、ダンパ開度によって空調室への空気の給気量と空調室からの空気の排気量とのいずれかを調節可能なモーターダンパとを利用して実行される。
【００１１】
前記第１の特徴を有する室圧制御方法の他の一例として、微陽圧保持手段では、実行時間が経過するまでの間に、空調室の室内気圧が予め設定された微陽圧から外れると、モーターダンパのダンパ開度を調節して室内気圧を設定された微陽圧に戻す。
【００１２】
前記第１の特徴を有する室圧制御方法の他の一例として、室圧制御方法では、給気ファンの起動信号、排気ファンの起動信号、モーターダンパの起動信号、モーターダンパに内蔵された差圧センサによって計測された差圧信号のうちの少なくとも１つをトリガーとして微陽圧保持手段を実行する。
【００１３】
前記前提における本発明の室圧制御方法の第２の特徴としては、室圧制御方法が、空調室の燻蒸・除染用薬品の濃度を測定する濃度センサを含み、空調室に燻蒸・除染用薬品を充満させて空調室を燻蒸・除染した後、濃度センサが測定した空調室の燻蒸・除染用薬品の濃度信号をトリガーとして空調運転を開始し、室圧制御方法では、空調運転開始時に、給気量と排気量とのうちの少なくとも一方を調節して空調室の室内気圧を予め設定された微陽圧に保持する微陽圧保持手段を実行し、濃度センサによって測定された空調室の燻蒸・除染用薬品の濃度が設定値よりも下がった後、微陽圧保持手段を終了するとともに給気量と排気量とのうちの少なくとも一方を調節して空調室の室内気圧を微陽圧保持手段におけるそれよりも高い予め設定された陽圧に保持する陽圧保持手段を実行することにある。
【００１４】
前記第２の特徴を有する室圧制御方法の他の一例として、空調室が複数存在し、室圧制御方法では、濃度センサが燻蒸・除染用薬品の濃度をそれら空調室毎に測定し、濃度センサによって測定された一方の空調室の燻蒸・除染用薬品の濃度が設定値よりも下がった場合、その一方の空調室に対して微陽圧保持手段を終了しつつ陽圧保持手段を実行し、濃度センサによって測定された他方の空調室の燻蒸・除染用薬品の濃度が設定値を超過する場合、その他方の空調室に対して引き続き微陽圧保持手段を実行する。
【００１５】
前記第２の特徴を有する室圧制御方法の他の一例としては、微陽圧保持手段と陽圧保持手段とが、空調室に空気を給気する給気装置と、空調室から空気を排気する排気装置と、ダンパ開度によって前記空調室への空気の給気量と空調室からの空気の排気量とのいずれかを調節可能なモーターダンパとを利用して実行される。
【００１６】
前記第２の特徴を有する室圧制御方法の他の一例として、微陽圧保持手段では、空調室に残留する燻蒸・除染用薬品の濃度が設定値を超えている間に、空調室の室内気圧が予め設定された微陽圧から外れると、モーターダンパのダンパ開度を調節して室内気圧を設定された微陽圧に戻す。
【００１７】
前記第１および第２の特徴を有する本発明にかかる室圧制御方法の他の一例としては、微陽圧保持手段によって保持される空調室の予め設定された室内気圧が＋３〜＋１０Ｐａの範囲にあり、陽圧保持手段によって保持される空調室の予め設定された室内気圧が＋１０〜＋６０Ｐａの範囲にある。
【発明の効果】
【００１８】
前記第１の特徴を有する空調運転開始時の室圧制御方法によれば、空調室に対する空調運転開始時に給気量と排気量とのうちの少なくとも一方を調節してその空調室の室内気圧を予め設定された微陽圧に保持する微陽圧保持手段を実行するから、空調室の室内気圧が外乱によって変動したとしても、微陽圧保持手段によって空調室の室内気圧を微陽圧に保持することができ、空調室に対する空調運転開始時に空調室の室内気圧が負圧になることはなく、外部から空調室に空気が進入することによる空調室の汚染を防ぐことができる。室圧制御方法は、空調運転開始時に空調室の室内気圧を微陽圧に保持するから、空調運転開始時に微陽圧よりも高い陽圧で空調運転を実施する場合と比較し、空調室の室内気圧が急上昇することがないとともに、空調室の室内気圧が目標のそれを超えることはなく、空調室の建具の目地からの空気の漏出を防ぐことができ、空調運転を開始した空調室から通路や隣室への空気の漏出を防ぐことができる。
【００１９】
室圧制御方法は、空調室に燻蒸・除染用薬品を充満させて空調室を燻蒸・除染した後に空調運転を開始し、その空調運転開始時に微陽圧保持手段を実行するから、空調室の室内気圧を微陽圧に保持することができ、空調室の室内気圧が負圧になることはなく、外部の空気が進入することによる空調室の汚染を防ぎつつ、燻蒸・除染用薬品（燻蒸・除染用ガス）を空調室から室外に排気することができる。室圧制御方法は、空調運転開始時に空調室の室内気圧を微陽圧に保持するから、空調運転開始時に微陽圧よりも高い陽圧で空調運転を実施する場合と比較し、空調室の室内気圧が急上昇することがないとともに、空調室の室内気圧が目標のそれを超えることはなく、空調室の建具の目地からの燻蒸・除染用薬品の漏出を防ぐことができ、空調運転を開始した空調室から通路や隣室への燻蒸・除染用薬品の漏出を防ぐことができる。
【００２０】
室圧制御方法は、微陽圧保持手段を実行してから前記式によって算出した微陽圧保持手段の実行時間が経過した後に、給気量と排気量とのうちの少なくとも一方を調節して空調室の室内気圧を微陽圧保持手段におけるそれよりも高い予め設定された陽圧に保持する陽圧保持手段を実行するから、空調室の室内気圧を微陽圧から陽圧に変更したとしても、空調運転開始時に直ちに陽圧保持手段を実行する場合と比較し、陽圧保持手段を実行したとしても空調室の室内気圧が急激に上昇することがないとともに、空調室の室内気圧が目標のそれを超えることはなく、空調室の建具の目地からの空気の漏出を防ぐことができ、空調運転を開始した空調室から通路や隣室への空気の漏出を防ぐことができる。
【００２１】
室圧制御方法は、前記式によって算出した微陽圧保持手段の実行時間の経過によって空調室に残留する燻蒸・除染用薬品の濃度（残留ガス濃度）が下がるから、その間に微陽圧保持手段を実行することで、空調室の室内気圧を微陽圧に保持して空調室の汚染を防ぎつつ、燻蒸・除染用薬品（燻蒸・除染用ガス）を空調室から室外に排気することができる。室圧制御方法は、実行時間の間、微陽圧保持手段を実行するから、空調室の建具の目地から燻蒸・除染用薬品が漏出することはなく、空調運転を開始した空調室から通路や隣室への燻蒸・除染用薬品の漏出を防ぐことができる。
【００２２】
前記第１の特徴を有する室圧制御方法において、空気を給気する給気ファンと空調室から空気を排気する排気ファンとダンパ開度によって空気の給気量と空気の排気量とのいずれかを調節可能なモーターダンパとを利用して微陽圧保持手段と陽圧保持手段とが実行される室圧制御方法は、微陽圧保持手段においてモーターダンパのダンパ開度を調節することで、空調運転開始時から実行時間が経過するまでの間に空調室の室内気圧を微陽圧に保持することができ、空調室の室内気圧が負圧になることはなく、外部から空調室に空気が進入することによる空調室の汚染を防ぐことができる。室圧制御方法は、空調運転開始時から実行時間が経過するまでの間に空調室の室内気圧を微陽圧に保持するとともに、実行時間微陽圧保持手段を実行した後に陽圧保持手段を実行するから、空調運転開始時に直ちに陽圧保持手段を実行する場合と比較し、陽圧保持手段を実行したとしても空調室の室内気圧が急激に上昇することがないとともに、空調室の室内気圧が目標のそれを超えることはなく、空調室の建具の目地からの空気の漏出を防ぐことができ、空調運転を開始した空調室から通路や隣室への空気の漏出を防ぐことができる。
【００２３】
微陽圧保持手段において、実行時間が経過するまでの間に空調室の室内気圧が予め設定された微陽圧から外れると、モーターダンパのダンパ開度を調節して室内気圧を設定された微陽圧に戻す室圧制御方法は、モーターダンパを利用して空調運転開始時から実行時間が経過するまでの間、空調室の室内気圧を微陽圧に保持することができ、空調室の室内気圧が負圧になることはなく、外部から空調室に空気が進入することによる空調室の汚染を防ぐことができる。室圧制御方法は、空調運転開始時から実行時間が経過するまでの間、モーターダンパによって空調室の室内気圧が微陽圧に保持されるから、空調運転開始時に直ちに陽圧保持手段を実行する場合と比較し、陽圧保持手段を実行したとしても空調室の室内気圧が急激に上昇することがないとともに、空調室の室内気圧が目標のそれを超えることはなく、空調室の建具の目地からの空気の漏出を防ぐことができ、空調運転を開始した空調室から通路や隣室への空気の漏出を防ぐことができる。
【００２４】
前記第２特徴を有する空調運転開始時の室圧制御方法によれば、空調室に燻蒸・除染用薬品を充満させて空調室を燻蒸・除染した後、濃度センサが測定した空調室の燻蒸・除染用薬品の濃度信号をトリガーとして空調運転を開始し、空調運転開始時に、給気量と排気量とのうちの少なくとも一方を調節して空調室の室内気圧を予め設定された微陽圧に保持する微陽圧保持手段を実行するから、空調室の室内気圧が外乱によって変動したとしても、微陽圧保持手段によって空調室の室内気圧を微陽圧に保持することができ、空調室に対する空調運転開始時に空調室の室内気圧が負圧になることはなく、外部から空調室に空気が進入することによる空調室の汚染を防ぐことができる。室圧制御方法は、空調運転開始時に空調室の室内気圧を微陽圧に保持するから、空調運転開始時に微陽圧よりも高い陽圧で空調運転を実施する場合と比較し、空調室の室内気圧が急上昇することがないとともに、空調室の室内気圧が目標のそれを超えることはなく、空調室の建具の目地からの空気の漏出を防ぐことができ、空調運転を開始した空調室から通路や隣室への空気の漏出を防ぐことができる。室圧制御方法は、濃度センサによって測定された空調室の燻蒸・除染用薬品の濃度が設定値よりも下がった後、給気量と排気量とのうちの少なくとも一方を調節して空調室の室内気圧を微陽圧保持手段におけるそれよりも高い予め設定された陽圧に保持する陽圧保持手段を実行することで、空調室の室内気圧を微陽圧に保持しつつ、燻蒸・除染用薬品を空調室から室外に排気することができる。室圧制御方法は、濃度センサによって測定された空調室の燻蒸・除染用薬品（燻蒸・除染用ガス）の濃度が下がるまでの間、微陽圧保持手段を実行するから、空調室の建具の目地から燻蒸・除染用薬品が漏出することはなく、空調運転を開始した空調室から通路や隣室への燻蒸・除染用薬品の漏出を防ぐことができる。室圧制御方法は、燻蒸・除染用薬品の濃度が設定値よりも下がった後に微陽圧保持手段から陽圧保持手段に切り替えるから、陽圧保持手段を実行したとしても空調室の室内気圧が急激に上昇することがないとともに、空調室の室内気圧が目標のそれを超えることはなく、空調室の建具の目地からの空気の漏出を防ぐことができ、空調室から通路や隣室への空気の漏出を防ぐことができる。
【００２５】
前記第２特徴を有する室圧制御方法において、空気を給気する給気装置と空調室から空気を排気する排気装置とダンパ開度によって空気の給気量と空気の排気量とのいずれかを調節可能なモーターダンパとを利用して微陽圧保持手段と陽圧保持手段とが実行される室圧制御方法は、モーターダンパを利用して空調運転開始時から燻蒸・除染用薬品の濃度（残留ガス濃度）が下がるまでの間、空調室の室内気圧を微陽圧に保持することができ、空調室の室内気圧が負圧になることはなく、外部から空調室に空気が進入することによる空調室の汚染を防ぐことができる。室圧制御方法は、空調運転開始時から燻蒸・除染用薬品（燻蒸・除染用ガス）の濃度が下がるまでの間、モーターダンパによって空調室の室内気圧が微陽圧に保持されるから、空調運転開始時に直ちに陽圧保持手段を実行する場合と比較し、陽圧保持手段を実行したとしても空調室の室内気圧が急激に上昇することがないとともに、空調室の室内気圧が目標のそれを超えることはなく、空調室の建具の目地からの空気の漏出を防ぐことができ、空調運転を開始した空調室から通路や隣室への空気の漏出を防ぐことができる。
【００２６】
微陽圧保持手段において、空調室に残留する燻蒸・除染用薬品の濃度が設定値を超えている間に、空調室の室内気圧が予め設定された微陽圧から外れると、モーターダンパのダンパ開度を調節して室内気圧を設定された微陽圧に戻す室圧制御方法は、モーターダンパを利用して空調運転開始時から燻蒸・除染用薬品の濃度（残留ガス濃度）が設定値を超えている間、空調室の室内気圧を微陽圧に保持することができ、空調室の室内気圧が負圧になることはなく、外部から空調室に空気が進入することによる空調室の汚染を防ぐことができる。室圧制御方法は、空調運転開始時から燻蒸・除染用薬品（燻蒸・除染用ガス）の濃度が設定値を超えている間、モーターダンパによって空調室の室内気圧が微陽圧に保持されるから、空調運転開始時に直ちに陽圧保持手段を実行する場合と比較し、陽圧保持手段を実行したとしても空調室の室内気圧が急激に上昇することがないとともに、空調室の室内気圧が目標のそれを超えることはなく、空調室の建具の目地からの空気の漏出を防ぐことができ、空調運転を開始した空調室から通路や隣室への空気の漏出を防ぐことができる。
【００２７】
微陽圧保持手段によって保持される空調室の予め設定された室内気圧が＋３〜＋１０Ｐａの範囲にあり、陽圧保持手段によって保持される空調室の予め設定された室内気圧が＋１０〜＋６０Ｐａの範囲にある室圧制御方法は、空調運転開始時に空調室の室内気圧を前記範囲の微陽圧に保持するから、空調室の室内気圧が外乱によって変動したとしても、微陽圧保持手段によって空調室の室内気圧を微陽圧に保持することができ、空調室に対する空調運転開始時に空調室の室内気圧が負圧になることはなく、外部から空調室に空気が進入することによる空調室の汚染を防ぐことができる。室圧制御方法は、空調運転開始時に空調室の室内気圧を前記範囲の微陽圧に保持するから、前記範囲を超える高い陽圧で空調運転を開始する場合と比較し、空調室の室内気圧が急上昇することがないとともに、空調室の室内気圧が目標のそれを超えることはなく、空調室の建具の目地からの空気の漏出を防ぐことができ、空調運転を開始した空調室から通路や隣室への空気の漏出を防ぐことができる。
【図面の簡単な説明】
【００２８】
【図１】室圧制御方法を実施する建造物の一例を示す設備構成図。
【図２】室圧制御方法を説明するフローチャートの一例。
【図３】空調運転開始時から実行時間までの間に微陽圧保持手段を実行した場合の室内気圧の変動の一例を示す図。
【図４】室圧制御方法を実施する建造物の他の一例を示す設備構成図。
【図５】室圧制御方法を説明するフローチャートの他の一例。
【図６】空調運転開始時からガス濃度が下がるまでの間に微陽圧保持手段を実行した場合の室内気圧の変動の他の一例を示す図。
【図７】空調運転開始時に通常の陽圧運転を実行した場合の室内気圧の変動の一例を示す図。
【発明を実施するための形態】
【００２９】
本発明にかかる室圧制御方法を実施する建造物１０の一例を示す設備構成図である図１等の添付の図面を参照し、本発明の空調運転開始時の室圧制御方法を説明すると、以下のとおりである。なお、図２は、本発明の室圧制御方法を説明するフローチャートの一例であり、図３は、空調運転開始時から実行時間までの間に微陽圧保持手段を実行した場合の室内気圧の変動の一例を示す図である。図３では、クリーンルーム１１Ａ，１１Ｂ（空調室）にホルムアルデヒドガス（燻蒸・除染用薬品）充満させ、クリーンルーム１１Ａ，１１Ｂをホルムアルデヒドガスで燻蒸・除染した後に微陽圧保持手段を実行し、微陽圧保持手段を実行してから実行時間経過後に陽圧保持手段を実行した場合の室内気圧の変動を示す。なお、燻蒸・除染用薬品としてホルムアルデヒドガスの他に、オゾン、ＮＯ２、過酸化水素水等を使用することもできる。
【００３０】
図１は、第１および第２クリーンルーム１１Ａ，１１Ｂをその側方から示している。図１では２室のクリーンルーム１１Ａ，１１Ｂを図示しているが、クリーンルームを２室に限定するものではなく、３室以上の第１〜第ｎクリーンルームに対してこの室圧制御方法を実施することもできる。また、この室圧制御方法は、クリーンルーム１１Ａ，１１Ｂのみならず、他のあらゆる種類の空調室において実施することができる。
【００３１】
クリーンルーム１１Ａ，１１Ｂの室内気圧を基準圧よりも高い陽圧に保持する場合を例としてこの室圧制御方法を説明する。一例として示す室圧制御方法を実施する建造物１０は、屋外の空気を建造物１０内に施設されたそれらクリーンルーム１１Ａ，１１Ｂに供給する給気ダクト１２と、それらクリーンルーム１１Ａ，１１Ｂから屋外に空気を排出する排気ダクト１３と、クリーンルーム１１Ａ，１１Ｂに空気を給気する給気ファン１４と、クリーンルーム１１Ａ，１１Ｂから空気を排気する排気ファン１５と、定風量ユニット１６Ａ，１６Ｂおよびモーターダンパ１７Ａ，１７Ｂと、圧力センサ１８，１９およびコントローラ２０（制御盤）とを備えている。なお、給気ファン１４や排気ファン１５、定風量ユニット１６Ａ，１６Ｂ、モーターダンパ１７Ａ，１７Ｂ、圧力センサ１８，１９、コントローラ２０には、図示はしていないが、給電線を介して所定の電力が供給されている。
【００３２】
クリーンルーム１１Ａ，１１Ｂは、天井および床と前後壁および側壁とに囲繞された所定容積の気密な空調空間を有し、天井、床、それら壁によって室外と仕切られている。天井には、給気ダクト１２から供給される空気をクリーンルーム１１Ａ，１１Ｂに取り入れるための給気口（図示せず）が施設されている。側壁には、クリーンルーム１１Ａ，１１Ｂの空気を排気ダクト１３に取り入れるための排気口（図示せず）が施設されている。クリーンルーム１１Ａ，１１Ｂには、図示はしていないが、そこに出入りするための扉が設置されている。クリーンルーム１１Ａ，１１Ｂは、その室内気圧が厳密に管理され、通常の使用状態において室内気圧が基準圧よりも高い予め設定された適正範囲の陽圧（設定陽圧）に保持される。
【００３３】
給気ダクト１２は、建造物の屋外とクリーンルーム１１Ａ，１１Ｂとを連結している。給気ダクト１２は、基幹ダクト１２Ａと、基幹ダクト１２Ａから分岐して各クリーンルーム１１Ａ，１１Ｂに向かって延びる２本の分岐ダクト１２Ｂとから形成されている。分岐ダクト１２Ａ，１２Ｂは、クリーンルーム１１Ａ，１１Ｂの天井に施設された給気口につながっている。給気ファン１４は、基幹ダクト１２Ａに設置され、所定量の空気をクリーンルーム１１Ａ，１１Ｂに強制的に給気する。給気ファン１４は、インターフェイス２１を介してコントローラ２０に接続されている。給気ファン１４はその稼働中における風量（風速）が設定され、ファン１４から給気される風量が一定に保持される。
【００３４】
圧力センサ１８は、一方の検出部１８Ａが給気ファン１４の近傍における基幹ダクト１２Ａの内部に設置され、他方の検出部１８Ｂが建造物１０内に設置されている。検出部１８Ｂの設置箇所である建造物１０内には、たとえば、建造物１０の天井裏や廊下、床下等があるが、建造物１０内であれば設置箇所に特に限定はない。なお、他方の検出部１８Ｂが建造物１０の外に設置される場合もある。圧力センサ１８は、インターフェイス２１を介してコントローラ２０に接続されている。圧力センサ１８は、給気ダクト１２内の静圧信号を計測し、計測した静圧信号をコントローラ２０に送信する。
【００３５】
各定風量ユニット１６Ａ，１６Ｂは、それらクリーンルーム１１Ａ，１１Ｂにつながる分岐ダクト１２Ｂに設置されている。各定風量ユニット１６Ａ，１６Ｂは、インターフェイス２１を介してコントローラ２０に接続されている。定風量ユニット１６Ａ，１６Ｂは、各分岐ダクト１２Ｂの内部気圧の変動に対してユニット１６Ａ，１６Ｂ内を通る空気通過量を調節し、クリーンルーム１１Ａ，１１Ｂへ供給する空気量を一定に保持する。定風量ユニット１６Ａ，１６Ｂは、図示はしていないが、モーターダンパおよび制御器と、風速計およびそれらを収容する筐体とから形成されている。各定風量ユニット１６Ａ，１６Ｂは、そこを通る空気通過量（給気量）を風速計を介して計測し、計測した空気通過量をコントローラ２０に送信する。
【００３６】
排気ダクト１３は、クリーンルーム１１Ａ，１１Ｂと建造物１０の屋外とを連結している。排気ダクト１３は、各クリーンルーム１１Ａ，１１Ｂから延びる２本の分岐ダクト１３Ｂと、それら分岐ダクト１３Ｂがつながる基幹ダクト１３Ａとから形成されている。分岐ダクト１３Ｂは、クリーンルーム１１Ａ，１１Ｂの側壁に施設された排気口につながっている。排気ファン１５は、基幹ダクト１３Ａに設置され、所定量の空気をクリーンルーム１１Ａ，１１Ｂから強制的に排気する。排気ファン１５は、インターフェイス２１を介してコントローラ２０に接続されている。排気ファン１５はその稼働中における風量（風速）が設定され、ファン１５から排気される風量が一定に保持される。
【００３７】
圧力センサ１９は、一方の検出部１９Ａが排気ファン１５の近傍における基幹ダクト１３Ａの内部に設置され、他方の検出部１９Ｂが建造物１０内に設置されている。なお、他方の検出部１９Ｂが建造物１０の外に設置される場合もある。圧力センサ１９は、インターフェイス２１を介してコントローラ２０に接続されている。圧力センサ１９は、排気ダクト１３内の静圧信号を計測し、計測した静圧信号をコントローラ２０に送信する。
【００３８】
それらモーターダンパ１７Ａ，１７Ｂは、クリーンルーム１１Ａ，１１Ｂから延びる分岐ダクト１３Ｂに設置されている。モーターダンパ１７Ａ，１７Ｂは、モジュトロールモーター（図示せず）と、モーターの駆動力によって旋回する旋回羽根２２と、旋回羽根２２の旋回によって開閉される空気流路（図示せず）とから形成されている。モーターダンパ１７Ａ，１７Ｂは、旋回羽根２２の旋回角度（ダンパ開度）を調節し、それによって各クリーンルーム１１Ａ，１１Ｂから排気される空気の流量（排気量）を調節する。
【００３９】
それらモーターダンパ１７Ａ，１７Ｂには、平行翼ダンパまたは対向翼ダンパを使用することができる。なお、モーターダンパ１７Ａ，１７Ｂがクリーンルーム１１Ａ，１１Ｂにつながる分岐ダクト１２Ｂに設置されていてもよい。この場合は、旋回羽根２２の旋回角度（ダンパ開度）を調節し、それによってクリーンルーム１１Ａ，１１Ｂに給気される空気の流量（給気量）を調節する。
【００４０】
それらモーターダンパ１７Ａ，１７Ｂには、差圧センサ（図示せず）が内蔵され、制御装置（図示せず）が附属している。制御装置は、演算処理を行う中央処理部と各種データを記憶可能な主記憶部（メモリ）とを有するマイクロプロセッサである。モーターダンパ１７Ａ，１７Ｂ（制御装置）は、インターフェイス２１を介してコントローラ２０に接続されている。
【００４１】
差圧センサは、一方の検出部２３Ａがクリーンルーム１１Ａ，１１Ｂに設置され、他方の検出部２３Ｂが建造物１０内に設置されている。なお、他方の検出部２３Ｂが建造物１０の外に設置される場合もある。差圧センサは、クリーンルーム１１Ａ，１１Ｂの室内気圧（一方の検出部２３Ａが検出した圧力）と基準圧（他方の検出部２３Ｂが検出した圧力）との差圧を計測する。モーターダンパ１７Ａ，１７Ｂの制御装置は、差圧センサが計測した差圧信号をコントローラ２０に送信する。
【００４２】
モーターダンパ１７Ａ，１７Ｂの制御装置の主記憶部には、各クリーンルーム１１Ａ，１１Ｂに適用される予め設定された微陽圧の値（所定範囲の設定微陽圧値または１つの設定微陽圧値）が格納されている。設定微陽圧値の適正な範囲は、＋３〜＋１０Ｐａ、好ましくは、＋３〜＋５Ｐａである。設定微陽圧値は、その範囲において任意に設定することができる。さらに、主記憶部には、各クリーンルーム１１Ａ，１１Ｂに適用される予め設定された陽圧の値（所定範囲の設定陽圧値または１つの設定陽圧値）が格納されている。設定陽圧値の適正な範囲は、＋１０〜＋６０Ｐａ、好ましくは、＋１５〜＋４０Ｐａである。設定陽圧値は、その範囲において任意に設定することができる。
【００４３】
モーターダンパ１７Ａ，１７Ｂの制御装置の主記憶部には、各クリーンルーム１１Ａ，１１Ｂに適用される微陽圧の値とダンパ１７Ａ，１７Ｂの空気流路を通過する空気通過量との相関関係が格納され、微陽圧に対応する空気通過量とその空気通過量に対応するダンパ１７Ａ，１７Ｂの旋回羽根２２の旋回角度（ダンパ開度）との相関関係が格納されている。さらに、各クリーンルーム１１Ａ，１１Ｂに適用される陽圧の値とダンパ１７Ａ，１７Ｂの空気流路を通過する空気通過量との相関関係が格納され、陽圧に対応する空気通過量とその空気通過量に対応するダンパ１７Ａ，１７Ｂの旋回羽根２２の旋回角度との相関関係が格納されている。
【００４４】
モーターダンパ１７Ａ，１７Ｂの制御装置は、ダンパ１７Ａ，１７Ｂの旋回羽根２２の旋回角度（ダンパ開度）を所定の角度（所定の開度）に設定または保持、あるいは所定の角度に変更する開度制御信号をダンパ１７Ａ，１７Ｂに出力することで、空気流路の開度を所定の開度に調節する。モーターダンパ１７Ａ，１７Ｂでは、制御装置から出力された開度制御信号によってモジュトロールモータが回転し、それによって旋回羽根２２が所定角度に旋回する。旋回羽根２２が所定角度に旋回すると、ダンパ１７Ａ，１７Ｂの空気流路の開度が変わり、空気流路を通過する空気の流量が変更されてクリーンルーム１１Ａ，１１Ｂから排気される排気量が変わるとともに、クリーンルーム１１Ａ，１１Ｂの室内気圧が変わる。
【００４５】
コントローラ２０は、演算処理を行う中央処理装置と各種データを記憶可能な主記憶装置（メモリ）とを有するコンピュータである。コントローラ２０には、各種条件を入力するための入力装置、入力確認のための表示装置がインターフェイスを介して接続されている（図示せず）。コントローラ２０の主記憶装置には、後記する微陽圧保持手段を実行してから陽圧保持手段の実行を開始するまでの実行時間（微陽圧保持手段を実行する実行時間）の算出式が格納され、算出式によって算出された各クリーンルーム１１Ａ，１１Ｂ毎の微陽圧保持手段の実行時間が格納されている。なお、前記算出式は、以下のとおりである。
【数１】
0005892766.tif 000003
ｔ：実行時間（ｍｉｎ）
Ｙ：残留ガス濃度（個／ｃｆｔ）
ａ：初期残留ガス濃度（個／ｃｆｔ）
ｂ：換気回数（回／ｈ）
α：拡散係数（≦１．０，完全拡散の場合は１．０）
【００４６】
図２のフローチャートに基づいて、図１の建造物１０における室圧制御方法の手順の一例を説明すると、以下のとおりである。なお、クリーンルーム１１Ａ，１１Ｂにホルムアルデヒドガス（燻蒸・除染用薬品）を充満させ、クリーンルーム１１Ａ，１１Ｂがホルムアルデヒドガスによって燻蒸・除染されており、燻蒸・除染されたクリーンルーム１１Ａ，１１Ｂに対して室圧制御方法が実施されるものとする。
【００４７】
クリーンルーム１１Ａ，１１Ｂがホルムアルデヒドガスによって燻蒸・除染された後、建造物１０の各設備を起動させる。各設備を起動させると、コントローラ２０には、給気ファン１４の起動信号（ＯＮ信号）がファン１４から送信され、排気ファン１５の起動信号（ＯＮ信号）がファン１５から送信されるとともに、圧力センサ１８が計測した給気ダクト１２の静圧信号がセンサ１８から送信される。
【００４８】
コントローラ２０には、圧力センサ１９が計測した排気ダクト１３の静圧信号がセンサ１９から送信され、クリーンルーム１１Ａへの給気量が定風量ユニット１６Ａから送信されるとともに、クリーンルーム１１Ｂへの給気量が定風量ユニット１６Ｂから送信される。さらに、モーターダンパ１７Ａの差圧センサが計測したクリーンルーム１１Ａの差圧信号が差圧センサから送信され、ダンパ１７Ｂの差圧センサが計測したクリーンルーム１１Ｂの差圧信号が差圧センサから送信されるとともに、各モーターダンパ１７Ａ，１７Ｂの起動信号（ＯＮ信号）がダンパ１７Ａ，１７Ｂの制御装置から送信される。
【００４９】
コントローラ２０は、給気ファン１４からその起動信号を受信すると、ファン１４が起動したものと判断し、排気ファン１５からその起動信号を受信すると、ファン１５が起動したものと判断する。コントローラ２０は、定風量ユニット１６Ａ，１６Ｂから給気量を受信すると、クリーンルーム１１Ａ，１１Ｂへの給気量が上昇したものと判断し、圧力センサ１８から給気ダクト１２の静圧信号を受信すると、ダクト１２において給気量が上昇したものと判断する。コントローラ２０は、圧力センサ１９から排気ダクト１３の静圧信号を受信すると、ダクト１３において排気量が上昇したものと判断し、差圧センサからクリーンルーム１１Ａ，１１Ｂの差圧信号を受信すると、それらクリーンルーム１１Ａ，１１Ｂの室内気圧が上昇したものと判断するとともに、モーターダンパ１７Ａ，１７Ｂからその起動信号を受信すると、ダンパ１７Ａ，１７Ｂが起動したものと判断する。
【００５０】
コントローラ２０は、給気ファン１４の起動信号、排気ファン１５の起動信号、定風量ユニット１６Ａ，１６Ｂによって計測された給気量（クリーンルーム１１Ａ，１１Ｂへの給気量の上昇）、圧力センサ１８によって計測された給気ダクト１２の静圧信号（給気ダクト１２における給気量の上昇）、圧力センサ１９によって計測された排気ダクト１３の静圧信号（排気ダクト１３における排気量の上昇）、差圧センサによって計測された差圧信号（クリーンルーム１１Ａ，１１Ｂの室内気圧の上昇）、モーターダンパ１７Ａ，１７Ｂの起動信号を受信する（Ｓ−１０）。
【００５１】
コントローラ２０は、それらのうちの少なくとも１つをトリガーとし、それらのうちの少なくとも１つを受信した後、クリーンルーム１１Ａ，１１Ｂの室内気圧を予め設定された微陽圧の値に保持する微陽圧保持手段を実行するとともに、微陽圧保持手段を実行してからの実行時間（所定時間）を計測する時間計測手段を実行する（Ｓ−１１）。
【００５２】
微陽圧保持手段の具体例としては、コントローラ２０が微陽圧保持信号をモーターダンパ１７Ａ，１７Ｂの制御部に送信し、ダンパ１７Ａ，１７Ｂの制御部がコントローラ２０から受信した微陽圧保持信号にしたがって、微陽圧の値（微陽圧の範囲）に対応するダンパ１７Ａ，１７Ｂの空気流路を通過する空気通過量を主記憶部から抽出し、抽出した空気通過量に対応するダンパ１７Ａ，１７Ｂの旋回羽根２２の旋回角度（ダンパ開度）を主記憶部から抽出しつつ、ダンパ１７Ａ，１７Ｂの旋回羽根２２の旋回角度を抽出した旋回角度に調節する。それによって、クリーンルーム１１Ａ，１１Ｂの室内気圧が微陽圧の範囲内に保持される。
【００５３】
なお、微陽圧保持手段を開始するトリガーとして、給気ファン１４の起動信号、排気ファン１５の起動信号、定風量ユニット１６Ａ，１６Ｂからの給気量、給気ダクト１２の静圧信号、排気ダクト１３の静圧信号、クリーンルーム１１Ａ，１１Ｂの差圧信号、モーターダンパ１７Ａ，１７Ｂの起動信号のうちの少なくとも１つをトリガーとするときは、それらのうちの最低１つを受信した場合のみならず、それらのうちの２つ以上を受信した場合を含む。ただし、トリガーはそれらに限定されず、空調室における他の事象をトリガーとすることもできる。
【００５４】
微陽圧保持手段の実行中では、各クリーンルーム１１Ａ，１１Ｂの室内気圧が＋３〜＋１０Ｐａ（好ましくは、＋３〜＋５Ｐａ）の微陽圧に保持され、クリーンルーム１１Ａ，１１Ｂに残留するホルムアルデヒドガス（残留ガス）が排気ダクト１３から建造物１０の外部に次第に排気され、クリーンルーム１１Ａ，１１Ｂのホルムアルデヒドガスの濃度が次第に低下する。なお、微陽圧保持手段の実行中において、各クリーンルーム１１Ａ，１１Ｂの室内気圧が微陽圧に保持されるから、外部からクリーンルーム１１Ａ，１１Ｂに空気が進入することはない。
【００５５】
次に、コントローラ２０は、微陽圧保持手段を実行してから実行時間（所定時間）が経過したかを判断する（Ｓ−１２）。実行時間は、前記算出式によって算出された時間であり、クリーンルーム１１Ａ，１１Ｂ毎に設定されている。コントローラ２０は、実行時間が経過していないと判断すると、それらクリーンルーム１１Ａ，１１Ｂに対して引き続き微陽圧保持手段を実行する（Ｓ−１３）。
【００５６】
微陽圧保持手段の継続中において、モーターダンパ１７Ａ，１７Ｂに内蔵された差圧センサは、それらクリーンルーム１１Ａ，１１Ｂの室内気圧と基準圧との差圧を計測する（Ｓ−１４）。モーターダンパ１７Ａ，１７Ｂの制御部は、差圧センサが計測した差圧が予め設定された微陽圧（＋３〜＋１０Ｐａ）の範囲内にあるかを判断する（Ｓ−１５）。各種の外乱（ドアの開閉、窓の開閉、局所給気装置の起動・停止、局所排気装置の起動・停止等）によって各クリーンルーム１１Ａ，１１Ｂの室内気圧が変動し、差圧が微陽圧の範囲から外れると、モーターダンパ１７Ａ，１７Ｂの制御部は、差圧が微陽圧の範囲内にないと判断する。
【００５７】
差圧が微陽圧の範囲内にない判断とすると、モーターダンパ１７Ａ，１７Ｂの制御部は、差圧を微陽圧の範囲に戻すために必要なダンパ１７Ａ，１７Ｂの空気流路を通過する空気通過量を主記憶部から抽出し、抽出した空気通過量に対応するダンパ１７Ａ，１７Ｂの旋回羽根２２の旋回角度（ダンパ開度）を主記憶部から抽出しつつ、ダンパ１７Ａ，１７Ｂの旋回羽根２２の旋回角度を抽出した旋回角度に調節する（Ｓ−１６）。
【００５８】
モーターダンパ１７Ａ，１７Ｂの旋回羽根２２の旋回角度を調節することによって、ダンパ１７Ａ，１７Ｂの空気流路を通過する空気通過量が変わり、クリーンルーム１１Ａ，１１Ｂからの空気の排気量が変化する（Ｓ−１７）。それによってクリーンルーム１１Ａ，１１Ｂの室内気圧が微陽圧の範囲に復帰する（Ｓ−１８）。モーターダンパ１７Ａ，１７Ｂの制御部は、フィードバック制御を実行しつつ、クリーンルーム１１Ａ，１１Ｂの室内気圧を微陽圧の範囲内に保持する。
【００５９】
モーターダンパ１７Ａ，１７Ｂの制御部は、コントローラ２０から微陽圧保持信号を受信した後、コントローラ２０から陽圧保持信号（微陽圧終了信号）を受信するまでの間、クリーンルーム１１Ａ，１１Ｂの室内気圧を微陽圧に保持する。微陽圧保持手段を実行中にコントローラ２０は、微陽圧保持信号をダンパ１７Ａ，１７Ｂの制御部に送信してからの時間の計測を継続し（Ｓ−１１）、微陽圧保持手段を実行してから実行時間が経過したかを判断する（Ｓ−１２）。実行時間が経過していない場合、それらクリーンルーム１１Ａ，１１Ｂに対して引き続き微陽圧保持手段が実行される。
【００６０】
ステップ１２（Ｓ−１２）において、コントローラ２０は、微陽圧保持手段を実行してから実行時間が経過したと判断すると、微陽圧保持手段を終了し、陽圧保持手段を実行する（Ｓ−１９）。陽圧保持手段では、コントローラ２０が微陽圧終了信号をモーターダンパ１７Ａ，１７Ｂの制御部に送信するとともに、陽圧保持信号をダンパ１７Ａ，１７Ｂの制御部に送信する。モーターダンパ１７Ａ，１７Ｂの制御部は、微陽圧終了信号にしたがって微陽圧保持を終了するとともに、陽圧保持信号にしたがってクリーンルーム１１Ａ，１１Ｂの室内気圧を微陽圧から陽圧に変更する。
【００６１】
なお、コントローラ２０は、クリーンルーム１１Ａ，１１Ｂのうちの一方の実行時間が経過し、他方の実行時間が未経過の場合、クリーンルーム１１Ａ，１１Ｂの一方に対して微陽圧保持手段を終了して陽圧保持手段を実行し（Ｓ−１９）、クリーンルーム１１Ａ，１１Ｂの他方に対して微陽圧保持手段を引き続き実行する。
【００６２】
コントローラ２０から陽圧保持信号を受信したモーターダンパ１７Ａ，１７Ｂの制御部は、陽圧の値（陽圧の範囲）に対応するダンパ１７Ａ，１７Ｂの空気流路を通過する空気通過量を主記憶部から抽出し、抽出した空気通過量に対応するダンパ１７Ａ，１７Ｂの旋回羽根２２の旋回角度（ダンパ開度）を主記憶部から抽出しつつ、ダンパ１７Ａ，１７Ｂの旋回羽根２２の旋回角度を抽出した旋回角度に調節する。それによって、クリーンルーム１１Ａ，１１Ｂの室内気圧が陽圧の範囲内に保持される。陽圧保持手段の実行中において、各クリーンルーム１１Ａ，１１Ｂの室内気圧が陽圧に保持されるから、外部からクリーンルーム１１Ａ，１１Ｂに空気が進入することはない。
【００６３】
陽圧保持手段の実行中では、各クリーンルーム１１Ａ，１１Ｂの室内気圧が＋１０〜＋６０Ｐａ（好ましくは、＋１５〜＋４５Ｐａ）の陽圧に保持される。なお、実行時間が経過した場合、クリーンルーム１１Ａ，１１Ｂに残留するホルムアルデヒドガス（残留ガス）が排気ダクト１３から建造物１０の外部に排気され、クリーンルーム１１Ａ，１１Ｂのホルムアルデヒドガスのガス濃度が低濃度または略０になっている。
【００６４】
モーターダンパ１７Ａ，１７Ｂに内蔵された差圧センサは、それらクリーンルーム１１Ａ，１１Ｂの室内気圧と基準圧との差圧を計測する（Ｓ−２０）。モーターダンパ１７Ａ，１７Ｂの制御部は、差圧センサが計測した差圧が予め設定された陽圧（＋１０〜＋６０Ｐａ）の範囲内にあるかを判断する（Ｓ−２１）。各種の外乱によって各クリーンルーム１１Ａ，１１Ｂの室内気圧が変動し、差圧が陽圧の範囲から外れると、モーターダンパ１７Ａ，１７Ｂの制御部は、差圧が陽圧の範囲内にないと判断する。
【００６５】
差圧が陽圧の範囲内にない判断とすると、モーターダンパ１７Ａ，１７Ｂの制御部は、差圧を陽圧の範囲に戻すために必要なダンパ１７Ａ，１７Ｂの空気流路を通過する空気通過量を主記憶部から抽出し、抽出した空気通過量に対応するダンパ１７Ａ，１７Ｂの旋回羽根２２の旋回角度（ダンパ開度）を主記憶部から抽出しつつ、ダンパ１７Ａ，１７Ｂの旋回羽根２２の旋回角度を抽出した旋回角度に調節する（Ｓ−２２）。
【００６６】
モーターダンパ１７Ａ，１７Ｂの旋回羽根２２の旋回角度を調節することによって、ダンパ１７Ａ，１７Ｂの空気流路を通過する空気通過量が変わり、クリーンルーム１１Ａ，１１Ｂからの空気の排気量が変化する（Ｓ−２３）。それによって、クリーンルーム１１Ａ，１１Ｂの室内気圧が陽圧の範囲に復帰する（Ｓ−２４）。モーターダンパ１７Ａ，１７Ｂの制御部は、フィードバック制御を実行しつつ、クリーンルーム１１Ａ，１１Ｂの室内気圧を陽圧の範囲内に保持する。
【００６７】
陽圧保持手段を実行中にコントローラ２０は、この室圧制御方法を終了するかを判断する（Ｓ−２５）。室圧制御方法を終了する信号が入力されると、コントローラ２０は、各設備のスイッチをＯＦＦにして室圧制御方法を終了する。室圧制御方法を継続する場合、各設備のスイッチがＯＮ状態のままとなり、ステップ２０（Ｓ−２０）からの手順を実施し、陽圧保持手段を継続して実行する。
【００６８】
図１の建造物１０において実施される室圧制御方法は、クリーンルーム１１Ａ，１１Ｂに対する空調運転開始時にモーターダンパ１７Ａ，１７Ｂを利用して排気量を調節し、クリーンルーム１１Ａ，１１Ｂの室内気圧を予め設定された微陽圧に保持するから、クリーンルーム１１Ａ，１１Ｂの室内気圧が外乱によって変動したとしても、クリーンルーム１１Ａ，１１Ｂの室内気圧を微陽圧に保持することができ、クリーンルーム１１Ａ，１１Ｂに対する空調運転開始時から微陽圧保持手段の終了時までの間にクリーンルーム１１Ａ，１１Ｂの室内気圧が負圧になることはなく、外部からクリーンルーム１１Ａ，１１Ｂに空気が進入することによるクリーンルーム１１Ａ，１１Ｂの汚染を防ぐことができる。
【００６９】
室圧制御方法は、微陽圧保持手段を実行してから所定時間経過後に陽圧保持手段を実行するから、クリーンルーム１１Ａ，１１Ｂの室内気圧が外乱によって変動したとしても、クリーンルーム１１Ａ，１１Ｂの室内気圧を陽圧に保持することができ、クリーンルーム１１Ａ，１１Ｂの室内気圧が負圧になることはなく、外部からクリーンルーム１１Ａ，１１Ｂに空気が進入することによるクリーンルーム１１Ａ，１１Ｂの汚染を防ぐことができる。
【００７０】
この室圧制御方法は、燻蒸・除染した後のクリーンルーム１１Ａ，１１Ｂに対する空調運転開始時から所定時間経過までの間に微陽圧保持手段を実行するから、ホルムアルデヒドガス（燻蒸・除染用薬品）をクリーンルーム１１Ａ，１１Ｂから室外に排気することができるのみならず、調運転開始時からクリーンルーム１１Ａ，１１Ｂの室内気圧が微陽圧に保持され、調運転開始時に陽圧保持手段を直ちに実行する場合と比較し、所定時間経過後に微陽圧保持手段から陽圧保持手段に切り替えたとしても、図３に示すように、クリーンルーム１１Ａ，１１Ｂの室内気圧が急上昇することはなく、クリーンルーム１１Ａ，１１Ｂの建具の目地からのホルムアルデヒドガスの漏出を防ぐことができ、空調運転を開始したクリーンルーム１１Ａ，１１Ｂから通路や隣室へのホルムアルデヒドガスの漏出を防ぐことができる。
【００７１】
図４は、室圧制御方法を実施する建造物１０の他の一例を示す設備構成図であり、図５は、本発明の室圧制御方法を説明するフローチャートの他の一例である。図６は、空調運転開始時からガス濃度が下がるまでの間に微陽圧保持手段を実行した場合の室内気圧の変動の他の一例を示す図である。図６では、クリーンルーム１１Ａ，１１Ｂ（空調室）にホルムアルデヒドガス（燻蒸・除染用薬品）を充満させ、クリーンルーム１１Ａ，１１Ｂをホルムアルデヒドガスで燻蒸・除染した後に微陽圧保持手段を実行し、微陽圧保持手段を実行してからクリーンルーム１１Ａ，１１Ｂの測定ガス濃度（残留ガス）が設定ガス濃度よりも下がった後に陽圧保持手段を実行した場合の室内気圧の変動を示す。
【００７２】
図４の建造物１０が図１のそれと異なるところは、濃度センサ２４，２５を備えている点にあり、その他の構成は図１の建造物１０と同一であるから、図１と同一の符号を付すとともに、図１の説明を援用することで、図４の建造物１０におけるその他の構成の詳細な説明は省略する。
【００７３】
他の一例として示す室圧制御方法を実施する建造物１０は、屋外の空気を建造物１０内に施設されたそれらクリーンルーム１１Ａ，１１Ｂに供給する給気ダクト１２と、それらクリーンルーム１１Ａ，１１Ｂから屋外に空気を排出する排気ダクト１３と、クリーンルーム１１Ａ，１１Ｂに空気を給気する給気ファン１４と、クリーンルーム１１Ａ，１１Ｂから空気を排気する排気ファン１５と、定風量ユニット１６Ａ，１６Ｂおよびモーターダンパ１７Ａ，１７Ｂと、圧力センサ１８，１９および濃度センサ２４，２５と、コントローラ２０（制御盤）とを備えている。
【００７４】
濃度センサ２４は、インターフェイス２１を介してコントローラ２０に接続され、その検出部２４Ａがクリーンルーム１１Ａに設置されている。濃度センサ２４は、クリーンルーム１１Ａに残存するホルムアルデヒドガスのガス濃度を測定し、測定したガス濃度信号をコントローラ２０に送信する。濃度センサ２５は、インターフェイス２１を介してコントローラ２０に接続され、その検出部２５Ａがクリーンルーム１１Ｂに設置されている。濃度センサ２５は、クリーンルーム１１Ｂに残存するホルムアルデヒドガスのガス濃度を測定し、測定したガス濃度信号をコントローラ２０に送信する。
【００７５】
図５のフローチャートに基づいて、図４の建造物１０における室圧制御方法の手順の一例を説明すると、以下のとおりである。なお、図１の建造物１０と同様に、クリーンルーム１１Ａ，１１Ｂにホルムアルデヒドガス（燻蒸・除染用薬品）を充満させ、クリーンルーム１１Ａ，１１Ｂがホルムアルデヒドガスによって燻蒸・除染されており、燻蒸・除染されたクリーンルーム１１Ａ，１１Ｂに対して室圧制御方法が実施されるものとする。
【００７６】
なお、コントローラ２０の主記憶装置には、微陽圧保持手段を実行してから陽圧保持手段の実行を開始するまでの実行時間の計算式やその算出式によって算出された各クリーンルーム１１Ａ，１１Ｂ毎の微陽圧保持手段の実行時間は格納されておらず、その代わりに各クリーンルーム１１Ａ，１１Ｂにおけるホルムアルデヒドガスの設定ガス濃度（微陽圧保持手段から陽圧保持手段に切り替えるためのガス濃度）が格納されている。
【００７７】
また、モーターダンパ１７Ａ，１７Ｂの制御装置の主記憶部には、クリーンルーム１１Ａ，１１Ｂの予め設定された微陽圧の範囲（＋３〜＋１０Ｐａ）が格納され、クリーンルーム１１Ａ，１１Ｂの予め設定された陽圧の範囲（＋１０〜＋６０Ｐａ）が格納されている。ダンパ１７Ａ，１７Ｂの制御装置の主記憶部には、クリーンルーム１１Ａ，１１Ｂに設定された微陽圧の範囲とダンパ１７Ａ，１７Ｂの空気流路を通過する空気通過量との相関関係が格納され、微陽圧に対応する空気通過量とその空気通過量に対応するダンパ１７Ａ，１７Ｂの旋回羽根２２の旋回角度との相関関係が格納されている。クリーンルーム１１Ａ，１１Ｂに設定された陽圧の範囲とダンパ１７Ａ，１７Ｂの空気流路を通過する空気通過量との相関関係が格納され、陽圧に対応する空気通過量とその空気通過量に対応するダンパ１７Ａ，１７Ｂの旋回羽根２２の旋回角度との相関関係が格納されている。
【００７８】
クリーンルーム１１Ａ，１１Ｂがホルムアルデヒドガスによって燻蒸・除染された後、建造物１０の各設備を起動させる。各設備を起動させると、コントローラ２０には、給気ファン１４の起動信号（ＯＮ信号）がファン１４から送信され、排気ファン１５の起動信号（ＯＮ信号）がファン１５から送信されるとともに、圧力センサ１８が計測した給気ダクト１２の静圧信号がセンサ１８から送信される。コントローラ２０には、圧力センサ１９が計測した排気ダクト１３の静圧信号がセンサ１９から送信され、クリーンルーム１１Ａへの給気量が定風量ユニット１６Ａから送信されるとともに、クリーンルーム１１Ａへの給気量が定風量ユニット１６Ｂから送信される。
【００７９】
コントローラ２０には、モーターダンパ１７Ａの差圧センサが計測したクリーンルーム１１Ａの差圧信号が差圧センサから送信され、ダンパ１７Ｂの差圧センサが計測したクリーンルーム１１Ｂの差圧信号が差圧センサから送信されるとともに、各モーターダンパ１７Ａ，１７Ｂの起動信号（ＯＮ信号）がダンパ１７Ａ，１７Ｂの制御装置から送信される。コントローラ２０には、濃度センサ２４が測定したクリーンルーム１１Ａのホルムアルデヒドガスの測定ガス濃度信号がセンサ２４から送信され、濃度センサ２５が測定したクリーンルーム１１Ｂのホルムアルデヒドガスの測定ガス濃度信号がセンサ２５から送信される。
【００８０】
コントローラ２０は、給気ファン１４の起動信号、排気ファン１５の起動信号、定風量ユニット１６Ａ，１６Ｂによって計測された給気量（クリーンルーム１１Ａ，１１Ｂへの給気量の上昇）、圧力センサ１８によって計測された給気ダクト１２の静圧信号（給気ダクト１２における給気量の上昇）、圧力センサ１９によって計測された排気ダクト１３の静圧信号（排気ダクト１３における排気量の上昇）、差圧センサによって計測された差圧信号（クリーンルーム１１Ａ，１１Ｂの室内気圧の上昇）、モーターダンパ１７Ａ，１７Ｂの起動信号、クリーンルーム１１Ａ，１１Ｂのホルムアルデヒドガスの測定ガス濃度信号を受信する（Ｓ−３０）。
【００８１】
コントローラ２０は、それらのうちの少なくとも１つをトリガーとし、それらのうちの少なくとも１つを受信した後、クリーンルーム１１Ａ，１１Ｂの室内気圧を予め設定された微陽圧の値に保持する微陽圧保持手段を実行する。さらに、コントローラ２０は、濃度センサ２４，２５が測定したクリーンルーム１１Ａ，１１Ｂに残存するホルムアルデヒドガスの測定ガス濃度と主記憶装置に格納した設定ガス濃度とを比較するガス濃度比較手段を実行する（Ｓ−３１）。
【００８２】
給気ファン１４の起動信号、排気ファン１５の起動信号、定風量ユニット１６Ａ，１６Ｂからの給気量、給気ダクト１２の静圧信号、排気ダクト１３の静圧、クリーンルーム１１Ａ，１１Ｂの差圧信号、モーターダンパ１７Ａ，１７Ｂの起動信号、ホルムアルデヒドガスの測定ガス濃度信号のうちの少なくとも１つをトリガーとするとは、それらのうちの最低１つを受信した場合のみならず、それらのうちの２つ以上を受信した場合を含む。
【００８３】
微陽圧保持手段では、コントローラ２０が微陽圧保持信号をモーターダンパ１７Ａ，１７Ｂの制御部に送信し、ダンパ１７Ａ，１７Ｂの制御部がコントローラ２０から受信した微陽圧保持信号にしたがって、微陽圧の値に対応するダンパ１７Ａ，１７Ｂの空気流路を通過する空気通過量を主記憶部から抽出し、抽出した空気通過量に対応するダンパ１７Ａ，１７Ｂの旋回羽根２２の旋回角度（ダンパ開度）を主記憶部から抽出しつつ、ダンパ１７Ａ，１７Ｂの旋回羽根２２の旋回角度を抽出した旋回角度に調節する。
【００８４】
微陽圧保持手段の実行中では、各クリーンルーム１１Ａ，１１Ｂの室内気圧が＋３〜＋１０Ｐａの微陽圧に保持され、クリーンルーム１１Ａ，１１Ｂに残留するホルムアルデヒドガス（残留ガス）が排気ダクト１３から建造物１０の外部に次第に排気され、クリーンルーム１１Ａ，１１Ｂのホルムアルデヒドガスのガス濃度が次第に低下する。微陽圧保持手段の実行中、濃度センサ２４，２５は、クリーンルーム１１Ａ，１１Ｂのホルムアルデヒドガスのガス濃度を測定し、測定したガス濃度信号をコントローラ２０に送信する。
【００８５】
コントローラ２０は、微陽圧保持手段を実行しつつ、クリーンルーム１１Ａ，１１Ｂのホルムアルデヒドガスの測定ガス濃度が設定ガス濃度以下に下がったかを判断する（Ｓ−３２）。設定ガス濃度は、クリーンルーム１１Ａ，１１Ｂ毎に設定されている。コントローラ２０は、測定ガス濃度が設定ガス濃度以下ではないと判断すると、それらクリーンルーム１１Ａ，１１Ｂに対して引き続き微陽圧保持手段を実行する（Ｓ−３３）。
【００８６】
微陽圧保持手段の継続中において、モーターダンパ１７Ａ，１７Ｂに内蔵された差圧センサは、それらクリーンルーム１１Ａ，１１Ｂの室内気圧と基準圧との差圧を計測する（Ｓ−３４）。モーターダンパ１７Ａ，１７Ｂの制御部は、差圧センサが計測した差圧が予め設定された微陽圧の範囲内にあるかを判断する（Ｓ−３５）。各種の外乱によって各クリーンルーム１１Ａ，１１Ｂの室内気圧が変動し、差圧が微陽圧の範囲から外れると、モーターダンパ１７Ａ，１７Ｂの制御部は、差圧が微陽圧の範囲内にないと判断する。
【００８７】
差圧が微陽圧の範囲内にない判断とすると、モーターダンパ１７Ａ，１７Ｂの制御部は、差圧を微陽圧の範囲に戻すために必要なダンパ１７Ａ，１７Ｂの空気流路を通過する空気通過量を主記憶部から抽出し、抽出した空気通過量に対応するダンパ１７Ａ，１７Ｂの旋回羽根２２の旋回角度（ダンパ開度）を主記憶部から抽出しつつ、ダンパ１７Ａ，１７Ｂの旋回羽根２２の旋回角度を抽出した旋回角度に調節する（Ｓ−３６）。
【００８８】
モーターダンパ１７Ａ，１７Ｂの旋回羽根２２の旋回角度を調節することによって、ダンパ１７Ａ，１７Ｂの空気流路を通過する空気通過量が変わり、クリーンルーム１１Ａ，１１Ｂからの空気の排気量が変化する（Ｓ−３７）。それによって、クリーンルーム１１Ａ，１１Ｂの室内気圧が微陽圧の範囲に復帰する（Ｓ−３８）。
【００８９】
モーターダンパ１７Ａ，１７Ｂの制御部は、コントローラ２０から微陽圧保持信号を受信した後、コントローラ２０から陽圧保持信号（微陽圧終了信号）を受信するまでの間、クリーンルーム１１Ａ，１１Ｂの室内気圧を微陽圧に保持する。微陽圧保持手段を実行中にコントローラ２０は、クリーンルーム１１Ａ，１１Ｂに残存するホルムアルデヒドガスの測定ガス濃度と設定ガス濃度とを比較するガス濃度比較手段を継続し（Ｓ−３１）、クリーンルーム１１Ａ，１１Ｂのホルムアルデヒドガスの測定ガス濃度が設定ガス濃度以下に下がったかを判断する（Ｓ−３２）。測定ガス濃度が設定ガス濃度以下でない場合、それらクリーンルーム１１Ａ，１１Ｂに対して引き続き微陽圧保持手段が実行される。
【００９０】
ステップ３２（Ｓ−３２）において、コントローラ２０は、クリーンルーム１１Ａ，１１Ｂのホルムアルデヒドガスの測定ガス濃度が設定ガス濃度以下に下がったと判断すると、微陽圧保持手段を終了し、陽圧保持手段を実行する（Ｓ−３９）。コントローラ２０は、微陽圧終了信号をモーターダンパ１７Ａ，１７Ｂの制御部に送信するとともに、陽圧保持信号をダンパ１７Ａ，１７Ｂの制御部に送信する。モーターダンパ１７Ａ，１７Ｂの制御部は、微陽圧終了信号にしたがって微陽圧保持を終了するとともに、陽圧保持信号にしたがってクリーンルーム１１Ａ，１１Ｂの室内気圧を微陽圧から陽圧に変更する。
【００９１】
なお、コントローラ２０は、クリーンルーム１１Ａ，１１Ｂのうちの一方の測定ガス濃度が設定ガス濃度以下に下がり、他方の測定ガス濃度が設定ガス濃度を超過する場合、クリーンルーム１１Ａ，１１Ｂの一方に対して微陽圧保持手段を終了して陽圧保持手段を実行し（Ｓ−３９）、クリーンルーム１１Ａ，１１Ｂの他方に対して微陽圧保持手段を引き続き実行する。
【００９２】
陽圧保持手段においてモーターダンパ１７Ａ，１７Ｂの制御部は、陽圧の範囲に対応するダンパ１７Ａ，１７Ｂの空気流路を通過する空気通過量を主記憶部から抽出し、抽出した空気通過量に対応するダンパ１７Ａ，１７Ｂの旋回羽根２２の旋回角度（ダンパ開度）を主記憶部から抽出しつつ、ダンパ１７Ａ，１７Ｂの旋回羽根２２の旋回角度を抽出した旋回角度に調節する。それによって、クリーンルーム１１Ａ，１１Ｂの室内気圧が陽圧の範囲（＋１５〜＋４５Ｐａ）内に保持される。なお、陽圧保持手段の実行時では、クリーンルーム１１Ａ，１１Ｂのホルムアルデヒドガスのガス濃度が低濃度または略０になっている。
【００９３】
モーターダンパ１７Ａ，１７Ｂに内蔵された差圧センサは、それらクリーンルーム１１Ａ，１１Ｂの室内気圧と基準圧との差圧を計測する（Ｓ−４０）。モーターダンパ１７Ａ，１７Ｂの制御部は、差圧センサが計測した差圧が予め設定された陽圧の範囲（＋１０〜＋６０Ｐａ）内にあるかを判断する（Ｓ−４１）。各種の外乱によって各クリーンルーム１１Ａ，１１Ｂの室内気圧が変動し、差圧が陽圧の範囲から外れると、モーターダンパ１７Ａ，１７Ｂの制御部は、差圧が陽圧の範囲内にないと判断する。
【００９４】
差圧が陽圧の範囲内にない判断とすると、モーターダンパ１７Ａ，１７Ｂの制御部は、差圧を陽圧の範囲に戻すために必要なダンパ１７Ａ，１７Ｂの空気流路を通過する空気通過量を主記憶部から抽出し、抽出した空気通過量に対応するダンパ１７Ａ，１７Ｂの旋回羽根２２の旋回角度を主記憶部から抽出しつつ、ダンパ１７Ａ，１７Ｂの旋回羽根２２の旋回角度を抽出した旋回角度に調節する（Ｓ−４２）。
【００９５】
モーターダンパ１７Ａ，１７Ｂの旋回羽根２２の旋回角度を調節することによって、ダンパ１７Ａ，１７Ｂの空気流路を通過する空気通過量が変わり、クリーンルーム１１Ａ，１１Ｂからの空気の排気量が変化する（Ｓ−４３）。それによって、クリーンルーム１１Ａ，１１Ｂの室内気圧が陽圧の範囲に復帰する（Ｓ−４４）。
【００９６】
陽圧保持手段を実行中にコントローラ２０は、この室圧制御方法を終了するかを判断する（Ｓ−４５）。室圧制御方法を終了する信号が入力されると、コントローラ２０は、各設備のスイッチをＯＦＦにして室圧制御方法を終了する。室圧制御方法を継続する場合、各設備のスイッチがＯＮ状態のままとなり、ステップ４０（Ｓ−４０）からの手順を実施し、陽圧保持手段を継続して実行する。
【００９７】
図４の建造物１０において実施される室圧制御方法は、クリーンルーム１１Ａ，１１Ｂに対する空調運転開始時にモーターダンパ１７Ａ，１７Ｂを利用して排気量を調節し、クリーンルーム１１Ａ，１１Ｂの室内気圧を予め設定された微陽圧に保持するから、クリーンルーム１１Ａ，１１Ｂの室内気圧が外乱によって変動したとしても、クリーンルーム１１Ａ，１１Ｂの室内気圧を微陽圧に保持することができ、クリーンルーム１１Ａ，１１Ｂに対する空調運転開始時から微陽圧保持手段の終了時までの間にクリーンルーム１１Ａ，１１Ｂの室内気圧が負圧になることはなく、外部からクリーンルーム１１Ａ，１１Ｂに空気が進入することによるクリーンルーム１１Ａ，１１Ｂの汚染を防ぐことができる。
【００９８】
室圧制御方法は、微陽圧保持手段を実行してから測定ガス濃度が設定ガス濃度以下に下がった後に陽圧保持手段を実行するから、クリーンルーム１１Ａ，１１Ｂの室内気圧が外乱によって変動したとしても、クリーンルーム１１Ａ，１１Ｂの室内気圧を陽圧に保持することができ、クリーンルーム１１Ａ，１１Ｂの室内気圧が負圧になることはなく、外部からクリーンルーム１１Ａ，１１Ｂに空気が進入することによるクリーンルーム１１Ａ，１１Ｂの汚染を防ぐことができる。
【００９９】
この室圧制御方法は、燻蒸・除染した後のクリーンルーム１１Ａ，１１Ｂに対する空調運転開始時からホルムアルデヒドガス（燻蒸・除染用薬品）の濃度が下がるまでの間に微陽圧保持手段を実行するから、ホルムアルデヒドガスをクリーンルーム１１Ａ，１１Ｂから室外に排気することができるのみならず、調運転開始時からクリーンルーム１１Ａ，１１Ｂの室内気圧が微陽圧に保持され、調運転開始時から陽圧保持手段を直ちに実行する場合と比較し、ホルムアルデヒドガスの濃度が下がった後に微陽圧保持手段から陽圧保持手段に切り替えたとしても、図６に示すように、クリーンルーム１１Ａ，１１Ｂの室内気圧が急上昇することはなく、クリーンルーム１１Ａ，１１Ｂの建具の目地からのホルムアルデヒドガスの漏出を防ぐことができ、空調運転を開始したクリーンルーム１１Ａ，１１Ｂから通路や隣室へのホルムアルデヒドガスの漏出を防ぐことができる。
【０１００】
図１または図４では、ホルムアルデヒドガスによって燻蒸・除染されたクリーンルーム１１Ａ，１１Ｂに対して室圧制御方法が実施される場合を説明したが、単に空調運転を開始する建造物１０において、図２または図５のフローチャートに基づく室圧制御方法を実施することもできる。
【符号の説明】
【０１０１】
１０    建造物
１１Ａ，Ｂ  クリーンルーム
１２    給気ダクト
１３    排気ダクト
１４    給気ファン
１５    排気ファン
１６Ａ，Ｂ  定風量ユニット
１７Ａ，Ｂ  モーターダンパ
１８    圧力センサ
１９    圧力センサ
２０    コントローラ（制御盤）
２４    濃度センサ
２５    濃度センサ
【図１】
0005892766.tif 000005
【図２】
0005892766.tif 000006
【図３】
0005892766.tif 000007
【図４】
0005892766.tif 000008
【図５】
0005892766.tif 000009
【図６】
0005892766.tif 000010
【図７】
0005892766.tif 000011